【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
ユーザクライアントから送信されるオリジナルのパケットに基づく複製パケットを、ユーザのプライバシディレクティブに適合しない状態情報を含むウェブコンテンツ要求に対してモニターする段階;
適合しない状態情報を含むウェブコンテンツ要求を有する複製パケットが検出され次第、該状態情報をユーザのプライバシディレクティブに適合するように変更する段階;および
対応するオリジナルのパケットのターゲットサーバからの応答パケットを受信する前に、変更された状態情報を含む更新されたウェブコンテンツ要求を伴ったリダイレクトを有する置換パケットを受信するように、置換パケットをユーザクライアントに転送する段階
を含む、インターネットユーザのプライバシディレクティブを実施するための方法。
【請求項２】
状態情報がクッキーである、請求項1記載のインターネットユーザのプライバシディレクティブを実施する方法。
【請求項３】
状態情報がクライアント・サーバ状態情報である、請求項1記載のインターネットユーザのプライバシディレクティブを実施する方法。
【請求項４】
複製パケットをモニタする段階が、状態情報を含むウェブコンテンツ要求がターゲット広告と関連付けられたドメインを有するかどうか判定する段階、およびターゲット広告と関連付けられた前記ドメインを、ユーザのプライバシディレクティブによって対象とされるドメインのデータベースと比較する段階を含む、請求項1記載のインターネットユーザのプライバシディレクティブを実施する方法。
【請求項５】
状態情報を変更する段階が、該状態情報において、ターゲット広告プログラムからユーザクライアントを削除するための値を設定する段階を含む、請求項1記載のインターネットユーザのプライバシディレクティブを実施する方法。
【請求項６】
ユーザのプライバシディレクティブとの適合性が、複製パケットに含まれるインターネットプロトコル（IP）アドレスを使用して判定される、請求項1記載のインターネットユーザのプライバシディレクティブを実施する方法。
【請求項７】
状態情報を変更する段階が、該状態情報からユーザプライベート要素を削除する段階を含む、請求項1記載のインターネットユーザのプライバシディレクティブを実施する方法。
【請求項８】
ウェブコンテンツ要求がhttp getコマンドである、請求項1記載のインターネットユーザのプライバシディレクティブを実施する方法。
【請求項９】
ウェブコンテンツ要求がhttp postコマンドである、請求項1記載のインターネットユーザのプライバシディレクティブを実施する方法。
【請求項１０】
モニタする段階、変更する段階、および転送する段階が、ユーザクライアントに非対称インターネットアクセスを提供するサービスネットワークによって行われる、請求項1記載のインターネットユーザのプライバシディレクティブを実施する方法。
【請求項１１】
複製パケットが、コンテンツ変更ステーションにミラーリングされるパケットを含む、請求項1記載のインターネットユーザのプライバシディレクティブを実施する方法。
【請求項１２】
状態情報が、コンテンツ変更ステーションによって、ユーザのプライバシディレクティブに適合するように変更され、
コンテンツ変更ステーションが、ユーザクライアントとターゲットサーバとの間のオリジナルのパケットのパス内にない、
請求項1記載のインターネットユーザのプライバシディレクティブを実施する方法。
【請求項１３】
ユーザクライアントから送信されるオリジナルのパケットに基づく複製パケットを、ユーザのプライバシディレクティブに適合しない状態情報を含むウェブコンテンツ要求についてモニタする手段と;
適合しない状態情報を含むウェブコンテンツ要求を有する複製パケットが検出され次第、状態情報をユーザのプライバシディレクティブに適合するように変更する手段と;
対応するオリジナルのパケットのターゲットサーバからの応答パケットを受信する前に、変更された状態情報を含む更新されたウェブコンテンツ要求を伴ったリダイレクトを有する置換パケットを受信するように、ユーザクライアントに置換パケットを転送する手段と、
を備える、インターネットユーザのプライバシディレクティブを実施するための装置。
【請求項１４】
状態情報がクッキーである、請求項13記載のインターネットユーザのプライバシディレクティブを実施する装置。
【請求項１５】
状態情報がクライアント・サーバ状態情報である、請求項13記載のインターネットユーザのプライバシディレクティブを実施する装置。
【請求項１６】
ユーザのプライバシディレクティブとの適合性が、複製パケットに含まれるインターネットプロトコル（IP）アドレスを使用して判定される、請求項13記載のインターネットユーザのプライバシディレクティブを実施する装置。
【請求項１７】
複製パケットが、コンテンツ変更ステーションにミラーリングされるパケットを含む、請求項13記載のインターネットユーザのプライバシディレクティブを実施する装置。
【請求項１８】
ユーザクライアントから送信されるオリジナルのパケットに基づく複製パケットを、ユーザのプライバシディレクティブに適合しない状態情報を含むウェブコンテンツ要求について、コンピュータにモニタさせるコードと;
適合しない状態情報を含むウェブコンテンツ要求を有する複製パケットが検出され次第、状態情報をユーザのプライバシディレクティブに適合するように、コンピュータに変更させるコードと;
対応するオリジナルのパケットのターゲットサーバからの応答パケットを受信する前に、変更された状態情報を含む更新されたウェブコンテンツ要求を伴ったリダイレクトを有する置換パケットを受信するように、コンピュータに、ユーザクライアントに置換パケットを転送させるコードと、
を含むコンピュータ可読媒体を備える、コンピュータプログラム製品。
【請求項１９】
状態情報がクッキーである、請求項18記載のコンピュータプログラム製品。
【請求項２０】
状態情報がクライアント・サーバ状態情報である、請求項18記載のコンピュータプログラム製品。
【請求項２１】
ユーザのプライバシディレクティブとの適合性が、複製パケットに含まれるインターネットプロトコル（IP）アドレスを使用して判定される、請求項18記載のコンピュータプログラム製品。
【手続補正２】
【補正対象書類名】明細書
【補正対象項目名】００１１
【補正方法】変更
【補正の内容】
【００１１】
本発明のさらに別の局面は、コンピュータに、ユーザクライアントから送信されるオリジナルのパケットに基づく複製パケットを、ユーザのプライバシディレクティブに適合しない状態情報を含むウェブコンテンツ要求に対してモニタさせるコード;コンピュータに、適合しない状態情報を含むウェブコンテンツ要求を有する複製パケットが検出され次第、状態情報をユーザのプライバシディレクティブに適合するように変更させるコード;コンピュータに、対応するオリジナルのパケットのターゲットサーバからの応答パケットを受信する前に、変更された状態情報を含む更新されたウェブコンテンツ要求を伴うリダイレクトを有する置換パケットをユーザが受信するように、ユーザクライアントに置換パケットを転送させるコード、を含むコンピュータ可読媒体を備えるコンピュータプログラム製品に存し得る。
[本発明1001]
ユーザクライアントから送信されるオリジナルのパケットに基づく複製パケットを、ユーザのプライバシディレクティブに適合しない状態情報を含むウェブコンテンツ要求に対してモニターする段階;
適合しない状態情報を含むウェブコンテンツ要求を有する複製パケットが検出され次第、該状態情報をユーザのプライバシディレクティブに適合するように変更する段階;および
対応するオリジナルのパケットのターゲットサーバからの応答パケットを受信する前に、変更された状態情報を含む更新されたウェブコンテンツ要求を伴ったリダイレクトを有する置換パケットを受信するように、置換パケットをユーザに転送する段階
を含む、インターネットユーザのプライバシディレクティブを実施するための方法。
[本発明1002]
状態情報がクッキーである、本発明1001のインターネットユーザのプライバシディレクティブを実施する方法。
[本発明1003]
状態情報がクライアント・サーバ状態情報である、本発明1001のインターネットユーザのプライバシディレクティブを実施する方法。
[本発明1004]
複製パケットをモニタする段階が、状態情報を含むウェブコンテンツ要求がターゲット広告と関連付けられたドメインを有するかどうか判定する段階、およびターゲット広告と関連付けられた前記ドメインを、ユーザのプライバシディレクティブによって対象とされるドメインのデータベースと比較する段階を含む、本発明1001のインターネットユーザのプライバシディレクティブを実施する方法。
[本発明1005]
状態情報を変更する段階が、該状態情報において、ターゲット広告プログラムからユーザクライアントを削除するための値を設定する段階を含む、本発明1001のインターネットユーザのプライバシディレクティブを実施する方法。
[本発明1006]
ユーザのプライバシディレクティブとの適合性が、複製パケットに含まれるインターネットプロトコル（IP）アドレスを使用して判定される、本発明1001のインターネットユーザのプライバシディレクティブを実施する方法。
[本発明1007]
状態情報を変更する段階が、該状態情報からユーザプライベート要素を削除する段階を含む、本発明1001のインターネットユーザのプライバシディレクティブを実施する方法。
[本発明1008]
ウェブコンテンツ要求がhttp getコマンドである、本発明1001のインターネットユーザのプライバシディレクティブを実施する方法。
[本発明1009]
ウェブコンテンツ要求がhttp postコマンドである、本発明1001のインターネットユーザのプライバシディレクティブを実施する方法。
[本発明1010]
モニタする段階、変更する段階、および転送する段階が、ユーザクライアントに非対称インターネットアクセスを提供するサービスネットワークによって行われる、本発明1001のインターネットユーザのプライバシディレクティブを実施する方法。
[本発明1011]
複製パケットが、コンテンツ変更ステーションにミラーリングされるパケットを含む、本発明1001のインターネットユーザのプライバシディレクティブを実施する方法。
[本発明1012]
状態情報が、コンテンツ変更ステーションによって、ユーザのプライバシディレクティブに適合するように変更され、
コンテンツ変更ステーションが、ユーザクライアントとターゲットサーバとの間のオリジナルのパケットのパス内にない、
本発明1001のインターネットユーザのプライバシディレクティブを実施する方法。
[本発明1013]
ユーザクライアントから送信されるオリジナルのパケットに基づく複製パケットを、ユーザのプライバシディレクティブに適合しない状態情報を含むウェブコンテンツ要求ついてモニタする手段と;
適合しない状態情報を含むウェブコンテンツ要求を有する複製パケットが検出され次第、状態情報をユーザのプライバシディレクティブに適合するように変更する手段と;
対応するオリジナルのパケットのターゲットサーバからの応答パケットを受信する前に、変更された状態情報を含む更新されたウェブコンテンツ要求を伴ったリダイレクトを有する置換パケットを受信するように、ユーザクライアントに置換パケットを転送する手段と、
を備える、インターネットユーザのプライバシディレクティブを実施するための装置。
[本発明1014]
状態情報がクッキーである、本発明1013のインターネットユーザのプライバシディレクティブを実施する装置。
[本発明1015]
状態情報がクライアント・サーバ状態情報である、本発明1013のインターネットユーザのプライバシディレクティブを実施する装置。
[本発明1016]
ユーザのプライバシディレクティブとの適合性が、複製パケットに含まれるインターネットプロトコル（IP）アドレスを使用して判定される、本発明1013のインターネットユーザのプライバシディレクティブを実施する装置。
[本発明1017]
複製パケットが、コンテンツ変更ステーションにミラーリングされるパケットを含む、本発明1013のインターネットユーザのプライバシディレクティブを実施する装置。
[本発明1018]
ユーザクライアントから送信されるオリジナルのパケットに基づく複製パケットを、ユーザのプライバシディレクティブに適合しない状態情報を含むウェブコンテンツ要求について、コンピュータにモニタさせるコードと;
適合しない状態情報を含むウェブコンテンツ要求を有する複製パケットが検出され次第、状態情報をユーザのプライバシディレクティブに適合するように、コンピュータに変更させるコードと;
対応するオリジナルのパケットのターゲットサーバからの応答パケットを受信する前に、変更された状態情報を含む更新されたウェブコンテンツ要求を伴ったリダイレクトを有する置換パケットを受信するように、コンピュータに、ユーザクライアントに置換パケットを転送させるコードと、
を含むコンピュータ可読媒体を備える、コンピュータプログラム製品。
[本発明1019]
状態情報がクッキーである、本発明1018のコンピュータプログラム製品。
[本発明1020]
状態情報がクライアント・サーバ状態情報である、本発明1018のコンピュータプログラム製品。
[本発明1021]
ユーザのプライバシディレクティブとの適合性が、複製パケットに含まれるインターネットプロトコル（IP）アドレスを使用して判定される、本発明1018のコンピュータプログラム製品。